(57)【要約】【課題】商品の変更に応じて取付台を交換することなくレイアウト変更を行う。【解決手段】上方向に立上がる左右一対の取付バー５、５を有する取付台２と、取付台２における取付バー５、５に多段に連結された複数の棚ユニットを備え、棚ユニットの両側部には、取付バー５、５の背面に固定具Ｂを介して着脱自在に結合するための取付フランジ１２，３２，４５が耳板状に設けられている。【選択図】      図２
2007228995.tif 000002
【特許請求の範囲】
【請求項１】
上方向に立上がる左右一対の取付バーを有する取付台と、取付台における前記取付バーに多段に連結された複数の棚ユニットを備え、
前記棚ユニットの両側部には、前記取付バーの背面に固定具を介して着脱自在に結合するための取付フランジが設けられていることを特徴とする商品陳列棚。
【請求項２】
前記取付台は、左右一対の水平バーの先端に一体化されて後傾方向に斜めに立上がる一対の前記取付バーと、前記水平バーの後端側に一体化され、かつ前記取付バーの背面に交叉状に連結した一対の支持バーと、前記左右のバー間を所定間隔をもって一体に結合した連結バーとを備えていることを特徴とする請求項１に記載の商品陳列棚。
【請求項３】
請求項１又は２記載の商品陳列棚に結合される棚ユニットにおいて、前記棚ユニットは、前記取付フランジを両側に設けた側板と、底板及び背面板からなり、かつ底面板には奥行方向に向けて高くなる段差を形成し、その段差位置の前部側に商品を支持する前板を配置した第１の棚ユニットを構成するものであることを特徴とする棚ユニット。
【請求項４】
請求項１又は２記載の商品陳列棚に結合される棚ユニットにおいて、前記棚ユニットは、前記取付フランジを両側に設けた側板、底板、背面板及び前板を配置した上面開口の構造であり、前記棚ユニット内の底板上には、中棚ユニットが着脱自在に設けられ、該中棚ユニットは、その前板部の背部の上下方向の中段部に中棚部を有するとともに、中棚ユニットの底部に形成された係合部が前記棚ユニットの底板に形成された被係合部に着脱自在に係合する構造であることを特徴とする棚ユニット。
【請求項５】
前記中棚ユニットは、前記棚ユニットの左右幅内に嵌合されるように左右幅が棚ユニットの内法寸法と略同幅であって、前記棚ユニットの前後幅の略半分の幅であり、前記係合部及び被係合部は、中棚ユニットの下端に設けられた底板部と前記棚ユニットの底板の対応部に形成された、互いに嵌挿される突起とスリットにより構成されていることを特徴とする請求項４に記載の棚ユニット。
【請求項６】
請求項１又は２記載の商品陳列棚に結合される棚ユニットにおいて、前記棚ユニットは、側板、底板及び背面板からなる前部及び上面開口したボックス状をなし、その側板の両側部に前記取付フランジを設けた第２の棚ユニットを構成するものであることを特徴とする棚ユニット。
【請求項７】
請求項１又は２記載の商品陳列棚に結合される棚ユニットにおいて、前記棚ユニットは、上下複数枚の平板状棚板の左右を上下に間隔を明けて連結部材により連結し、該左右の連結部材を前記商品陳列棚の前記取付バーの背面に固定具を介して着脱自在に結合するための前記取付フランジとした第３の棚ユニットを構成するものであることを特徴とする棚ユニット。
【発明の詳細な説明】
【技術分野】
【０００１】
本発明は、ＣＤ，ＤＶＤ，ゲームソフト、文庫本、大形の冊子など、厚みの薄いメディア商品を混在させて展示販売をする上で好適な商品陳列棚、及び当該商品陳列棚に設置される棚ユニットに関するものである。
【背景技術】
【０００２】
例えばコンビニエンスストアなどのように、比較的小規模な店舗、或いは、大型店舗の場合でもそのデッドスペースには、その時々の流行に応じた上記多様な売筋商品を仕入れ、その商品構成が変化する毎に店内をレイアウト変更して展示販売するようにできることが望ましい。
【０００３】
このような販売形式において、従来では、本を販売するのであれば、本棚に格納し、ＤＶＤや、ゲームソフトなどであれば、それらの専用のラックを備えた陳列棚に格納して展示販売するようにしていたが、以下に述べる問題があった。
【発明の開示】
【発明が解決しようとする課題】
【０００４】
すなわち、比較的店内売場面積が小さい店舗、或いは、店舗のデッドスペースに商品を陳列させる場合は、レイアウト変更毎に専用棚の入替えをする必要があり、その作業は面倒であり、店舗裏における棚のストック面積も大きく取られるほか、系列の本社などからの棚類の持込みや撤去作業及びセッティングなどもも面倒である欠点があった。また、各種商品を混在させて陳列しようとした場合には、棚の形状や大きさが異なり、当該商品にとって収納部が大きすぎたり小さすぎたりして、中途半端な収納状態となってしまい、合理的配置が出来ないのが現状であった。
【０００５】
本発明は以上の課題を解決するものであり、その目的とするところは、取付台そのものが簡単な構造であって、該当する商品の形状や大きさに適合して収納可能とし、これによって販売する商品の変更に応じて、取付台を交換することなくレイアウト変更を行えるようにした商品陳列棚及び該商品陳列棚に簡易且つ確実に交換自在に取り付ける棚ユニットを提供するものである。
【課題を解決するための手段】
【０００６】
前記目的を達成するため、本発明の商品陳列棚１は、上方向に立上がる左右一対の取付バー５、５を有する取付台２と、取付台２における前記取付バー５、５に多段に連結された複数の棚ユニットを備え、棚ユニットの両側部には、前記取付バー５、５の背面に固定具Ｂを介して着脱自在に結合するための取付フランジ１２，３２，４５が耳板状に設けられていることを特徴とする。
【０００７】
前記取付台２は、左右一対の水平バー４の先端に一体化されて後傾方向に斜めに立上がる一対の前記取付バー５と、前記水平バー４の後端側に一体化され、かつ前記取付バー５の背面に交叉状に連結した一対の支持バー６と、前記左右のバー間を所定間隔をもって一体に結合した連結バー７，８とを備えている。
【０００８】
上記商品陳列棚１に結合される棚ユニットは、図１乃至図４に示されるように、第１の棚ユニット３とすることができる。第１の棚ユニット３は、取付フランジ１２を両側に耳板状に設けた側板１１と、底板１４及び背面板１０からなり、かつ底板１４には奥行方向に向けて高くなる階段状複数段（図では２段）の段差面１４Ａ，１４Ｂを形成し、その各段差面位置の前部側に商品を支持する前板１５を配置した構造である。
【０００９】
上記第１の棚ユニット３内の底板１４上には、図６乃至図８に示される中棚ユニット２０を着脱自在に設けることができる。中棚ユニット２０は、全体として略倒Ｆ形をなし、その前板部２０ａの背部の上下方向の中段部に中棚部２０ｂを有するとともに、中棚ユニットの２０の底板部２０ｃに形成された係合部２０ｄが前記第１の棚ユニット３の底板１４に形成された被係合部１４ａに着脱自在に係合する構造とされている。
【００１０】
前記中棚ユニット２０は、前記第１の棚ユニット３の左右幅内に嵌合されるように左右幅が第１の棚ユニット３の内法寸法と略同幅であって、前記第１の棚ユニット３の前後幅の略半分の幅であり、前記係合部２０ｄ及び被係合部１４ａは、中棚ユニット２０の下端に断面略Ｌ形に設けられた底板部２０ｃと前記第１の棚ユニット３の底板１４の対応部に形成された、互いに嵌挿される突起とスリットにより構成させることができる。
【００１１】
さらに、前記棚ユニットは、図１０に示されるように、第２の棚ユニット４０により構成することができる。第２の棚ユニット４０は、側板４２、底板４３及び背面板４１からなる前部及び上面開口したボックス状をなし、その側板４２の両側部に前記と同様の取付フランジ４５を設けた構成である。
【００１２】
またさらに、前記棚ユニットは、図９に示されるように、第３の棚ユニット３０により構成することができる。第３の棚ユニット３０は、上下複数枚の平板状角盆形の棚板３１の左右を上下に間隔を明けて連結部材により連結し、該左右の連結部材を前記商品陳列棚１の前記取付バー５の背面に固定具Ｂを介して着脱自在に結合するための前記と同様の取付フランジ３２とした構成である。
【００１３】
本発明によれば、上記商品陳列棚１の左右の取付バー５、５に、上記第１の棚ユニット３、第２の棚ユニット４０、及び第３の棚ユニット３０から選ばれた、一種類又は複数種類の棚ユニットを選択して取り付けて商品陳列棚１として使用する。また、必要の応じて、中棚ユニット２０を第１の棚ユニット３内に取り付けて使用する。
【００１４】
上記商品陳列棚１の左右の取付バー５、５に、上記棚ユニットを選択して取り付け固定させるためには、各棚ユニットの取付フランジ１２、３２、４５を取付バー５、５の背面に当て、固定具Ｂにより固定させる。
【発明の効果】
【００１５】
以上により、本発明の商品陳列棚にあっては、取付台の構成が単純であり、固定具の操作のみで商品の形態などに適した棚ユニットを選択して、複数種類の棚ユニットの着脱交換が簡単にできるため、商品のレイアウト変更に好適である。またレイアウト変更によっても取付台をそのまま活用できるため、店舗裏における余分な取付台のストックも削減できる。
【００１６】
複数種類の棚ユニットの選択取り付けは、各棚ユニット左右の取付フランジを、左右の取付バー５、５の背面に当て、固定具Ｂにより固定させる構造であるところから、商品陳列棚の前方から取付フランジが見えず美観の点で優れている。また、左右の取付フランジが棚ユニットの結合により補強され、簡単な構造でありながら、構造的に安全である。
【００１７】
本発明によれば、複数種類の棚ユニット及び中棚ユニットを選択して用いることにより、売場面積が狭小な場合における多品種少量販売に好適であり、その時々の状況に応じてユニットの交換及びレイアウト変更も簡単に行うことができる。
【発明を実施するための最良の形態】
【００１８】
以下、本発明の最良の形態につき、添付図面を参照して説明する。図１〜図４は本発明の第１実施形態を示すものである。図１及び図２において、本発明の商品陳列棚１は、取付台２と、取付台２に着脱可能かつ多段に取付けられる棚ユニットとしての第１の棚ユニット３とからなっている。第１の棚ユニット３は、例えば、雑誌立て用棚として、好適に用いることができる。
【００１９】
前記取付台２は、中空角形鋼管からなる左右一対の水平バー４と、水平バー４の先端部に下端を溶接などによって一体化され、斜めに立上がる同じく中空角形鋼管からなる左右一対の取付バー５と、水平バー４の後端にその一端を溶接などによって一体化され、上端を前記取付バー５の背面に溶接などにより一体化された左右一対の支持パー６と、水平バー４間を連結する連結バー７及び支持バー６の上部位置にあって、支持バー６間を連結した前記と同一長さの連結バー８とを備えている。
【００２０】
そして、前記各水平バー４の下面前後には、図の一部に拡大して示すように、不陸調整用のアジャスター９が取付けられ、床面設置時において、アジャスター９の調整により、正しい水平度を得るようにしている。また、前記取付バー５の背面には、前記第１の棚ユニット３をビス止めにより固定するためのビス孔（図略）が所定比ピッチ間隔で形成されている。
【００２１】
前記第１の棚ユニット３は、薄鋼板やプラスチックなどの成形体からなるもので、背面板１０の両側前部に折曲形成された左右一対の側板１１と、両側板１１の外側に溶接などにより一体化され、取付バー５傾斜に沿った傾斜の耳板状の取付フランジ１２とを備えている。取付フランジ１２は、側板１１の外面から略直角に突出形成されている。取付フランジ１２を取付バー５の背面に当てこれに形成された長孔を通じてビス固定具Ｂを取付バー５にねじ込むことによって、これに固定されるものである。
【００２２】
また、各第１の棚ユニット３は、その奥行方向に向けて高くなる２段の高さに形成され、それぞれの底板１４には図２、３に示すように、奥行側に向けて階段状に高くなる段差面１４Ａ，１４Ｂが二段に配置されているとともに、その前縁にはそれぞれ雑誌の前部側を立て掛け状態に保持する前板１５を設けている。
【００２３】
底板１４を構成する各段差面１４Ａ，１４Ｂの左右には、後述する中棚ユニット２０取付用の長孔よりなる被係合部１４ａが打抜き形成されいるとともに、背面板１０との接続位置には同じく後述する背面支持板２２の下端をはめ込むためのスリット１５ｂが長手方向に沿って打抜き形成されている。
【００２４】
なお、底板１４の前部側段差面１４Ａは、前後の前板１５の間に折曲げ形成によって一体化され、底板１４の後部側段差面１４Ｂは、背面板10の前部側に折曲げ形成によって一体化されている。
【００２５】
従って以上の第１の棚ユニット３の一台当りで、例えば、下部２冊、上部２冊の合計４冊の雑誌を支持することが出来、各雑誌の表紙に設けたタイトルを消費者側に向けて展示販売することができる。
【００２６】
図１は、１つの取付台２に合計５台の第１の棚ユニット３を取付けた状態を示し、これによって一台の商品陳列棚１で多数の漫画などの雑誌Ｚ類の展示販売が可能となる（図１では最上段の第１の棚ユニット３のみに雑誌Ｚ類を立掛けて収納した状態を示している）。
【００２７】
以上の第１実施形態では、雑誌類という単一商品のみを対象として売場を構築した場合を示したが、各種雑誌のほかに、さらに大型誌、文庫本や単行本、ＤＶＤ，ゲームソフトなど各種メディア商品を混在させて展示販売することもできる。
【００２８】
図５乃至図１０はその混在して展示販売する場合の第２実施形態を示すものである。なお、前記第１実施形態と同一箇所には同一符号を援用して説明する。
【００２９】
図５において、前記と同一の取付台２における取付バー５の最上段には、前述する第１の棚ユニット３が固定され、その下部には、例えばＤＶＤ展示用の中棚ユニット２０を有する棚ユニットが固定され、その下段には、例えば平積み展示用の第３の棚ユニット３０が固定され、さらに最下段には、例えば文庫本などの本類を置くための第２の棚ユニット４０が固定されている。なお、図中取付バー５に直交する一点鎖線は、取付バー５の背面に形成された前述の取付用ビス孔である。
【００３０】
前記ＤＶＤ展示用の中棚ユニット２０は、図６及び図７に示すように、前記第１の棚ユニット３内に取付られている。第１の棚ユニット３内には、中棚ユニット２０及び背面支持板２２が取付けられている。
【００３１】
中棚ユニット２０は、全体として略倒Ｆ形をなし、その前板部２０ａの背部の上下方向の中段部に中棚部２０ｂを有するとともに、中棚ユニットの２０底板部２０ｃの左右に突設した突起により形成された係合部２０ｄが、上記第１の棚ユニット３の底板１４に形成されたスリットにより形成された被係合部１４ａに着脱自在に係合する構造とされている。
【００３２】
前記中棚ユニット２０は、前記第１の棚ユニット３の左右幅内に嵌合されるように左右幅が第１の棚ユニット３の内法寸法と略同幅であって、前記第１の棚ユニット３の各段差面１４Ａ，１４Ｂの前後幅の略半分の幅であり、前記係合部２０ｄ及び被係合部１４ａは、中棚ユニット２０の下端に断面略Ｌ形に設けられた底板部２０ｃと前記第１の棚ユニット３の底板１４の対応部に形成された、互いに嵌挿される突起とスリットにより構成されている。
【００３３】
第１の棚ユニット３内に中棚ユニット２０が嵌合されることにより、第１の棚ユニット３の底板１４の内底面は、前後４段に仕切られることになる。
【００３４】
また、前記背面支持板２２は、背面板１０の高さより十分高く形成され、その下端中央には、前記スリット１４ｂ（図３、図４参照）に嵌め付けられる凸部２２ａが突設されている。
【００３５】
従って、この中棚ユニット２０及び背面支持板２２の取付状態では、図８に示すように、一枚当りの厚みの薄いＤＶＤパッケージＰに対応し、パッケージＰの前部側への落下を防止するとともに、最上段位置では、パッケージＰの後部側への脱落を防止することになる。
【００３６】
なお、音楽ＣＤ、ゲームソフトなども同一または類似するパッケージで展示販売されるので、その説明は省略するが、前記背面支持板２２にその旨を印刷したＰＯＰなどを表示することで簡単に識別可能となる。さらに予め中棚ユニット２０及び背面支持板２２を用意しておけば、雑誌からＤＶＤへの販売変更に伴うユニットの交換もないため、さらに使い勝手が良いものとなる。
【００３７】
前記本類の平積み使用のための第３の棚ユニット３０は、平行配列された上下二枚の平板状棚板３１を前方側にやや傾斜した状態で前記取付バー５に固定したものである。図９に拡大して示すように、各棚板３１の前縁及び両側縁には冊子Ｓの脱落防止と、棚板３１同士を連結する取付フランジ３２の溶接しろを確保することを兼用した立上げ部３１ａが折曲形成される。また後縁には立ち下げ部３１ｂが折曲形成されており、両棚板３１同士を連結し、前記取付フランジ３２に形成された長孔を通じてビス固定具Ｂを取付バー５側のビス孔にねじ込むこと、で取付バー５に固定している。
【００３８】
従って、この平積み用の第３の棚ユニット３０は、前記第１の棚ユニット３には収納しきれない地図などの大形冊子Ｓや、注目を集める新刊本などの展示販売に好適である。
【００３９】
前記第２の棚ユニット４０は、図１０に示すように、文庫本あるいはこれより大形の単行本を展示販売するもので、背面板４１の両側に側板４２を、底面側に底板４３をそれぞれ折曲げにより形成した前面及び上面開口したボックス状のものであり、かつ底板４３の前縁には前板４４を屈曲形成している。
【００４０】
各側板４２の前縁には取付フランジ４５を溶接などにより一体化し、取付フランジ４５に形成された長孔を通じてビス固定具Ｂを取付バー５側のビス孔にねじ込むことにより取付バー５に固定するものである。
【００４１】
固定状態では、第２の棚ユニット４０は、取付バー５の傾斜に等しく（図５参照）、後傾状態となる。これによって本Ｈを安定して第２の棚ユニット４０に立てた状態に展示販売でき、消費者はその背表紙を見ることで、その本のタイトルを知ることができる。
【００４２】
以上の第２実施形態では、各メディアを混在して展示販売できるため、特に売り場面積が狭小であって多種少量販売を余儀なくされる場合に好適である。また、単一商品を販売する場合には、第１実施形態のごとく、取付台２の上から下まで同一ユニットを取付けることができるほか、状況に応じて前記棚ユニットのうち、展示販売に必要な二〜三種類程度を組合わせることもでき、その取付位置も販売戦略などに応じて適宜設定できる。
【００４３】
但し、平積み第２の棚ユニット４０は、消費者の目線より下にあることが前提にあるため、取付台２の下部に配置し、これと他の棚ユニットとを組合せることが必要である。
【図面の簡単な説明】
【００４４】
【図１】本発明の第１実施形態を示す斜視図である。
【図２】同分解斜視図である。
【図３】第１の棚ユニットの側断面図である。
【図４】第１の棚ユニットの横断面図である。
【図５】本発明の第２実施形態を示す側面図である。
【図６】中棚ユニットの正面図（Ａ）、平面図（Ｂ）、側面図（Ｃ）である。
【図７】中棚ユニットを第１の棚ユニットに嵌合した状態を示す側断面図である。
【図８】中棚ユニットを第１の棚ユニットに嵌合した状態を示す斜視図である。
【図９】第３の棚ユニットの斜視図である。
【図１０】第２の棚ユニットの斜視図である。
【符号の説明】
【００４５】
１  商品陳列棚
２  取付台
３  第１の棚ユニット
４  水平バー
５  取付バー
６  支持バー
７，８  連結バー
９  アジャスター
１０  背面板
１１  側板
１２  取付フランジ
１４  底板，１４Ａ，１４Ｂ  段差面，１４ａ  被係合部，                          １５  前板
２０  中棚ユニット，２０ａ  前板部，２０ｂ  中棚部，２０ｃ  底板部，２０ｄ  係合部
２２  背面支持板
３０  第３の棚ユニット
３１  棚板，３１ａ  立上げ部，３１ｂ  立下げ部
３２  取付フランジ
４０  第２の棚ユニット
４１  背面板
４２  側板
４３  底板
４４  前板
４５  取付フランジ
Ｂ  固定具
Ｚ  雑誌
Ｐ  ＤＶＤパッケージ
Ｓ  冊子
Ｈ  本
【図１】
2007228995.tif 000003
【図２】
2007228995.tif 000004
【図３】
2007228995.tif 000005
【図４】
2007228995.tif 000006
【図５】
2007228995.tif 000007
【図６】
2007228995.tif 000008
【図７】
2007228995.tif 000009
【図８】
2007228995.tif 000010
【図９】
2007228995.tif 000011
【図１０】
2007228995.tif 000012